(57)【特許請求の範囲】
【請求項１】
複数のテープカセットをそれぞれ保持する保持手段を備えた回動テーブル、テープカセット駆動装置、上記回動テーブルの上記保持手段及び上記テープカセット駆動装置間におけるテープカセットの搬送を行う搬送機が筐体内に収容されてなるライブラリー本体と、
該ライブラリー本体を蓋する如く、上記筐体に嵌合される天板と、
上記回動テーブルの中心において、上記筐体に植立された固定軸と、
該固定軸の上端に取付けられた軸キャップとを有し、
上記天板の内側部分が、上記軸キャップによって支持されるようにしたことを特徴とするライブラリー装置。
【請求項２】
請求項１に記載のライブラリー装置において、
上記天板の下面側には皿状のリブが取り付けられてなり、
該リブが上記軸キャップに衝合するようにしたことを特徴とするライブラリー装置。
【発明の詳細な説明】
【０００１】
【発明の属する技術分野】
本発明は、複数のテープカセットをそれぞれ保持する保持手段を備えた回動テーブル、テープカセット駆動装置、回動テーブルの保持手段及びテープカセット駆動装置間におけるテープカセットの搬送を行う搬送機が筐体内に収容されてなるライブラリー装置に関する。
【０００２】
【従来の技術】
データストリーマとしては、テープカセットが使用させることが多いが、大量のデータを書き込んだり、読出したりする場合には、かかるデータストリーマとしてのテープカセットを複数設け、これらテープカセットを選択して、カセット駆動装置に装填して、データの書込み及び読出しを行うようにしたライブラリー装置は、種々提案されている。
【０００３】
【発明が解決しようとする課題】
本発明は、複数のテープカセットをそれぞれ保持する保持手段を備えた回動テーブル、テープカセット駆動装置、回動テーブルの保持手段及びテープカセット駆動装置間におけるテープカセットの搬送を行う搬送機が筐体内に収容されてなるライブラリー装置において、そのライブラリー本体を蓋する如く、天板を筐体に嵌合させる場合に、天板の内側をライブラリー本体側で支持することのできるものを提案しようとするものである。
【０００４】
【課題を解決するための手段】
第１の発明は、複数のテープカセットをそれぞれ保持する保持手段を備えた回動テーブル、テープカセット駆動装置、回動テーブルの保持手段及びテープカセット駆動装置間におけるテープカセットの搬送を行う搬送機が筐体内に収容されてなるライブラリー本体と、そのライブラリー本体を蓋する如く、筐体に嵌合される天板と、回動テーブルの中心において、筐体に植立された固定軸と、その固定軸の上端に取付けられた軸キャップとを有し、天板の内側部分が、軸キャップによって支持されるようにしたライブラリー装置である。
【０００５】
第１の発明によれば、複数のテープカセットをそれぞれ保持する保持手段を備えた回動テーブル、テープカセット駆動装置、回動テーブルの保持手段及びテープカセット駆動装置間におけるテープカセットの搬送を行う搬送機が筐体内に収容されてなるライブラリー本体を蓋する如く、筐体に天板が嵌合され、回動テーブルの中心において、筐体に植立された固定軸の上端に取付けられた軸キャップによって、天板の内側部分が支持される。
【０００６】
第２の発明は、第１の発明のライブラリー装置において、天板の下面側には皿状のリブが取り付けられてなり、そのリブが軸キャップに衝合するようにしたライブラリー装置である。
【０００７】
【発明の実施の形態】
以下に、図３及び図４を参照して、ライブラリー装置の全体的構成について説明する。図３は、ライブラリーを示す斜視図、図４はライブラリー本体を斜め下方から見た斜視図である。このライブラリーは、複数のテープカセット（ストリーマ）を保持し得、その各テープカセットの磁気テープに対し、データの記録及び再生を行い得る記録再生装置である。
【０００８】
１は、ライブラリー本体を示し、３０は、このライブラリー本体１を蓋する天板（カバー）である。このライブラリー本体１は、複数台を重ねたり、複数台をラックに収納することができ、１台のライブラリー本体１を、基本ユニットと称する。以下に、ライブラリー本体１の構成について、図３及び図４を参照して説明する。
【０００９】
２は筐体（ハウジング）を示し、一体に形成された底板２ａ、背面板２ｂ、側板２ｃと、前面を覆うフロントパネル２ｄと、側面の開口部を覆う補助板２ｅとから構成される。
【００１０】
図４において、３、３は、２台のカセット駆動装置をそれぞれ示す。この２台のカセット駆動装置３、３は、筐体２の底板２ａ上において、左側における前後方向の中間部に設けられている。図３に矢印Ｆで示す面が、ライブラリー本体１の前面であり、図４から分かるように、カセット駆動装置３、３におけるテープカセットの挿入口は、カセット駆動装置３、３の背面側に設けられている。
【００１１】
図３及び図４において、４は回動可能なカセット棚を示し、カセット駆動装置３の上の段であって、筐体２の前面側に配置されている。円形の支持部及び載置部で構成される回動テーブル５が、筐体２に対し、固定軸３６の周囲に回動自在に設けられる。この回動テーブル５上には、テープカセット７を収容するカセット保持部６が上下２段に一体に結合され、一体となったものが円周方向に沿って、例えば、８個結合されている。このカセット保持部６は、いずれも放射方向の外側へ向かって開口している。尚、回動テーブル５は、モータＭによって、歯車機構を介して駆動される。又、この回動テーブル５を所定回動角位置で止めるための、位置センサが設けられ、又、モータＭは、ＣＰＵ等によって、その回転及び停止が制御される。
【００１２】
回動テーブル５上の各カセット保持部６から、遠心力によって、テープカセット７が落下しないように、筐体２の底面２ａ上には、円を描くように、２個のフェンス９、９が、取付金具８を介して取付けられている。これらフェンス９、９と、各カセット保持部６内のテープカセット７との間隙は頗る狭い。図３から分かるように、筐体２の前面の挿脱口１２を蓋しているシャッター１３を横方向にスライドさせて、前面の挿脱口１２を開け、その前面の挿脱口１２を通じて、人手によって、テープカセット７を内部に挿入し、カセット棚４の背面側から搬送機１５により下方のカセット駆動装置３に装填するために、カセット棚４の前面側及び背面側にはフェンス９が存在しないようになされ、外ゲート１０及び内ゲート１１を構成している。外ゲート１０と対応する筐体２の前面のフロントパネル２ｄに、挿脱口１２が設けられている。挿脱口１２からは、上下に重ねられた２個のカセット保持部６内のいずれかのテープカセット７を取り出すことができる。フロントパネル２ｄの挿脱口１２の横側には、ＬＣＤ表示部（液晶表示部）１４が設けられいる。ＬＣＤ表示部１４の下側には、複数の操作釦１８が設けられている。フロントパネル２ｄの左右の下側には、エアーフィルタを有するエアー吸い込み口２０、１９が設けられている。これに関連して、筐体２の背面板２ｂには、内部エアーを排出するファン２１が設けれている。
【００１３】
搬送機１５は、カセット棚４とカセット駆動装置３、３との間で、テープカセット７を移送するために設けられるので、これらの背面側の左に配置されている。搬送機１５は、図４に示す如く、昇降台（移動台）１６と、昇降台１６を上下方向へ案内する２つのラックピラー（ガイド手段）１７、１７とで構成される。
【００１４】
さて、図３において、ライブラリー本体１を蓋する如く、天板３０を筐体２に嵌合させた場合、天板３０の周辺は筐体２によって支持されるけれども、天板３０の内側を、ライブラリー本体１側で支持する必要がある。そこで、カセット棚４の回動テーブル５の中心に設けられている固定軸３６を利用して、天板３０を支持するようにする。
【００１５】
以下に、図１及び図２を参照して、この天板３０を固定軸３６に支持させるのに必要な手段を説明する。図１において、Ａは天板３０側を示し、Ｂはライブラリー本体１側を示す。図２は、天板３０によって、ライブラリー本体１を蓋して、天板３０をライブラリー本体１側の固定軸３６に支持させるようにした状態を示す。
【００１６】
先ず、金属の天板３０の下側には、全体の形状が円形で、補強のための皿状の金属のリブ３１が、溶接により固定されている。
【００１７】
次に、ライブラリー本体１側を説明する。４３は、中間板で、この中間板４３上に、円柱状の固定軸３６が植立されている。この固定軸３６の下端は、ねじ３７によって、中間板４３に固定されている。３８は、図３における金属の回転テーブル５で、その回転テーブル３８の中心部の下部に、円形の金属からなる補強板４１がねじ３９、４０等によって取り付けられ、その補強板４１の中心に穿設された孔と、固定軸３６との間に、ボールベアリング等からなる軸受け４２が取付けられている。
【００１８】
固定軸３６の上端には、プラスチックからなる円板状の軸キャップ３２が、ねじ３５によって、固定されている。３３は、ねじ３５の頭部が収容される円形の凹部である。３４は、軸キャップ３２の下端のスリーブで、固定軸３６の上端に嵌合されている。
【００１９】
４６、４６は、底板４４（２ａ）と、中間板４３間に配された、図３における２台のカセット駆動装置３、３である。尚、中間板４３及び底板４４間には、支持板４５が取付けられている。
【００２０】
かくして、図２に示す如く、天板３０のリブ３１が、軸キャップ３２上に載置されて、天板３０が、ライブラリー本体１側の筐体２と、固定軸３６とによって支持される。
【００２１】
従って、このライブラリーの天板３０上にテレビモニタ等の他の電子機器を載置することができる。
【００２２】
【発明の効果】
第１の発明によれば、複数のテープカセットをそれぞれ保持する保持手段を備えた回動テーブル、テープカセット駆動装置、回動テーブルの保持手段及びテープカセット駆動装置間におけるテープカセットの搬送を行う搬送機が筐体内に収容されてなるライブラリー本体と、そのライブラリー本体を蓋する如く、筐体に嵌合される天板と、回動テーブルの中心において、筐体に植立された固定軸と、その固定軸の上端に取付けられた軸キャップとを有し、天板の内側部分が、軸キャップによって支持されるようにしたので、ライブラリー本体を蓋する如く、天板を筐体に嵌合させる場合に、天板の内側をライブラリー本体側で確実に支持することのできるライブラリー装置を得ることができる。
【００２３】
第２の発明によれば、第１の発明のライブラリー装置において、天板の下面側には皿状のリブが取り付けられてなり、そのリブが軸キャップに衝合するようにしているので、ライブラリー本体を蓋する如く、天板を筐体に嵌合させる場合に、天板の内側をライブラリー本体側で確実に支持することができると共に、天板上に他の電子機器が載置されても、皿状のリブの補強によって、天板を撓み難くすることのできるライブラリー装置を得ることができる。
【図面の簡単な説明】
【図１】本発明の実施の形態のライブラリー装置の例の要部を示す断面図である。
【図２】図１のライブラリー装置において、天板内側部分をライブラリー本体の固定軸上の軸キャップ上に衝合した状態を示す断面図である。
【図３】本発明の実施の形態のライブラリー装置の例を示す斜視図である。
【図４】本発明の実施の形態のライブラリー装置の例を斜め下方から見た斜視図である。
【符号の説明】
３０  天板、３１  リブ、３２  軸キャップ、３３  凹部、３４  スリーブ、３５  ねじ、３６  固定軸、３７  ねじ、３８  回転テーブル、３９、４０  ねじ、４１  補強板、４２  軸受け、４３  中間板、４４  底板、４５  支持板、４６  カセット駆動装置。
【図１】
0004221916.tif 000002
【図２】
0004221916.tif 000003
【図３】
0004221916.tif 000004
【図４】
0004221916.tif 000005